(57)【要約】【課題】複数の蓄電素子が電気的に接続された蓄電モジュールにおいて、蓄電素子の端子のはんだ付け状態を、目視で容易に確認することができる蓄電モジュールを提供する。【解決手段】複数の蓄電素子は基板の一方の面上に配置され、正極端子と負極端子は基板に設けられた貫通孔を挿通し、基板の他方の面にはんだ付けされる。正極端子と負極端子のなかで、他の蓄電素子の負極端子または正極端子と電気的に接続される端子は、基板の他方の面側で折り曲げられ、先端部をはんだから突出させ目視可能とする。外観から端子のはんだ付け部を確認できるので、はんだ付けの良否を容易に確認できる。【選択図】図１
2019062203.tif 000002
【特許請求の範囲】
【請求項１】
正極端子と負極端子とをそれぞれ有する複数の蓄電素子が、電気的に接続された蓄電モジュールであって、
前記複数の蓄電素子は基板の一方の面上に配置され、前記正極端子と負極端子は前記基板に設けられた貫通孔を挿通し、前記基板の他方の面にはんだ付けされており、
前記正極端子と負極端子のなかで、他の蓄電素子の負極端子または正極端子と電気的に接続される端子の先端部は、前記基板の他方の面側で折り曲げられ、かつ前記基板の他方の面に盛られたはんだから前記折り曲げられた方向に突出し、目視可能であることを特徴とする蓄電モジュール。
【請求項２】
前記先端部は、前記基板の他方の面に沿って折り曲げられていることを特徴とする請求項１に記載の蓄電モジュール。
【請求項３】
前記先端部は、平面視で前記基板の外縁から突出しないように折り曲げられていることを特徴とする請求項１または２に記載の蓄電モジュール。
【請求項４】
前記蓄電素子は、電気二重層キャパシタであることを特徴とする請求項１から３のいずれか一項に記載の蓄電モジュール。
【発明の詳細な説明】
【技術分野】
【０００１】
本発明は、正極端子と負極端子を有する蓄電素子を、複数個直列に接続した蓄電モジュールに関する。
【背景技術】
【０００２】
電気二重層キャパシタ（Electric  double  layer  capacitor：ＥＤＬＣ）などの蓄電素子は、正極端子と負極端子を有し、単体で通常２．５Ｖ〜３Ｖ程度の定格電圧を持つ。このため、必要とされる電圧に対して蓄電素子単体の定格電圧が不足する場合は、特許文献１に記載されるように、プリント基板上に複数の蓄電素子を直列に接続し、筐体に収納した蓄電モジュールとして使用することが多い。
【０００３】
図５はこのような蓄電モジュールの例であり、プリント基板に２個の蓄電素子が実装された蓄電モジュールの斜視図である。図６は図５の蓄電モジュールにおける蓄電素子のはんだ付け状態を、側面から示した図である。図５に示す蓄電モジュールは、プリント基板４の一方の面に第１の蓄電素子２と第２の蓄電素子３が搭載されている。蓄電素子の正極端子と負極端子はプリント基板４に設けられた貫通孔を挿通し、プリント基板４の他方の面にはんだ７で固定される。プリント基板４の両端に位置する正極端子と負極端子は、それぞれプリント基板４の貫通孔から引き出され、蓄電モジュール１の外部端子５として利用される。
【０００４】
一方、外部端子５の内側に位置する蓄電素子の正極端子と負極端子は、プリント基板４に形成された金属パターンにより電気的に接続される。このとき、外部端子５の内側に位置する端子は、プリント基板４の他方の面から突出する長さを抑制するため、プリント基板４から僅かに突出する程度の長さにカットされてはんだ付けされる。端子の長さを短くすることにより、はんだ付け部の高さは盛られたはんだ７の高さに抑えられる。
【先行技術文献】
【特許文献】
【０００５】
【特許文献１】実開昭５８−１５３４３号公報
【発明の概要】
【発明が解決しようとする課題】
【０００６】
しかしながら、はんだ７の量が多くなったり端子の長さが短くカットされると、端子の先端部は図５、６に示すようにはんだ７に埋もれた状態となり、外観からは確認できない。このため、端子のはんだ付け状態を目視で確認することができず、はんだ付けの不具合を発見することが困難となる。本発明はこのような事情に鑑みてなされたものであり、蓄電素子の端子のはんだ付け状態を、目視で容易に確認することができる蓄電モジュールを提供することを目的とする。
【課題を解決するための手段】
【０００７】
本発明は以下の（１）から（４）の態様を含む。
（１）正極端子と負極端子とをそれぞれ有する複数の蓄電素子が、電気的に接続された蓄電モジュールであって、前記複数の蓄電素子は基板の一方の面上に配置され、前記正極端子と負極端子は前記基板に設けられた貫通孔を挿通し、前記基板の他方の面にはんだ付けされており、前記正極端子と負極端子のなかで、他の蓄電素子の負極端子または正極端子と電気的に接続される端子の先端部は、前記基板の他方の面側で折り曲げられ、かつ前記基板の他方の面に盛られたはんだから前記折り曲げられた方向に突出し、目視可能であることを特徴とする。
（２）（１）において、前記先端部は、前記基板の他方の面に沿って折り曲げられていることを特徴とする。
（３）（１）または（２）において、前記先端部は、平面視で前記基板の外縁から突出しないように折り曲げられていることを特徴とする。
（４）（１）から（３）のいずれかにおいて、前記蓄電素子は、電気二重層キャパシタであることを特徴とする。
【発明の効果】
【０００８】
本発明によれば、蓄電素子の端子のはんだ付け状態を、目視で容易に確認することができる蓄電モジュールを提供することができる。
【図面の簡単な説明】
【０００９】
【図１】実施形態の蓄電モジュールの斜視図である。
【図２】蓄電素子のはんだ付け状態を示す図である。
【図３】折り曲げられた端子を模式的に示す図である。
【図４】他の実施形態の蓄電モジュールの斜視図である。
【図５】従来の蓄電モジュールの斜視図である。
【図６】蓄電素子のはんだ付け状態を示す図である。
【発明を実施するための形態】
【００１０】
以下、本発明の蓄電モジュールの実施形態を、図を参照して説明する。
【００１１】
図１は実施形態の蓄電モジュール１の斜視図である。実施形態の蓄電モジュール１は、正極端子と負極端子を有する第１の蓄電素子２と第２の蓄電素子３を、基板であるプリント基板４上に直列に実装し一体化したものである。第１、第２の蓄電素子２、３は、電気二重層キャパシタ（ＥＤＬＣ）を用いることができ、例えば同じ定格電圧のＥＤＬＣを２個用いる。
【００１２】
第１の蓄電素子２と第２の蓄電素子３は、プリント基板４の一方の面に並んで配置される。プリント基板４には第１、第２の蓄電素子２、３の正極端子と負極端子を挿通する貫通孔が設けられており、各端子はプリント基板４の他方の面に、はんだ７で固定される。
【００１３】
第１の蓄電素子２の正極端子と第２の蓄電素子３の負極端子は、プリント基板４の貫通孔から引き出され、蓄電モジュール１の外部端子５として用いられる。また、外部端子５の内側に位置する第１の蓄電素子２の負極端子と第２の蓄電素子３の正極端子は、プリント基板４の金属パターンにより電気的に接続される端子６であり、第１の蓄電素子２の負極端子と第２の蓄電素子３の正極端子が電気的に接続されることにより、第１の蓄電素子２と第２の蓄電素子３は直列に接続される。
【００１４】
図２は蓄電素子のはんだ付け状態を示す図であり、第２の蓄電素子３の端子６のはんだ付け部を側面から示している。図３は端子６のはんだ付け部からはんだ７を取り除き、先端部の状態を模式的に示した図である。実施形態の端子６は、図２、３に示すように、プリント基板４の他方の面に突出し、突出した端子６の先端部はプリント基板４の他方の面に沿って略平行に折り曲げられている。はんだ付けは端子６の折り曲げられた部分で行われ、図１、図２に示されるように、端子６の先端部はプリント基板４に盛られたはんだ７から突出する。はんだ付け部の端子６とはんだ７の状態を外観から確認することができるので、目視によりはんだ付けの良否を容易に判断することができる。また、はんだ付け不良部を見つけた場合、はんだごてなどによる修正も容易に行える。
【００１５】
端子６の先端部は、プリント基板４の他方の面に沿って折り曲げられているので、端子６の長さを、はんだ７から突出する長さとしても、端子６の先端部はプリント基板４の厚さ方向には突出しない。端子６のはんだ付け部の高さは、従来と同様プリント基板４に盛られたはんだ７の高さ程度である。また、平面的には端子６の先端部は平面視でプリント基板４の外縁から突出することなく、プリント基板４の平面内に収まる長さとされている。このため、端子６をはんだ７から突出する長さにしても、必要とするスペースは僅かであり、蓄電モジュールの小型化に与える影響は小さい。
【００１６】
また、はんだ付け作業の前に、端子６の先端部は折り曲げられているので、折り曲げることで基板４が蓄電素子３の本体と端子６に挟まれることで安定し、はんだ付け作業の効率を上げることができる。端子６の先端部の折り曲げ加工は、プリント基板４の貫通孔に端子６を挿通した後に行ってもよく、先端部が折り曲げ加工された端子６を有する蓄電素子を準備して、プリント基板４の貫通孔に折り曲げ加工された端子６を挿通してもよい。
なお、図１、２では説明のために蓄電素子のはんだ付け部が露出した状態を図示しているが、短絡防止やはんだ付け部の保護のために、端子６やはんだ７などを、絶縁材料で覆ってもよく、また蓄電モジュール１を筐体などに収納してもよい。
【００１７】
図４は、本発明の他の実施形態の蓄電モジュール１の斜視図である。他の実施形態は、プリント基板４上に３個の蓄電素子を直列に実装し一体化したものであり、例えば同じ定格電圧のＥＤＬＣを３個直列に接続した蓄電モジュールである。他の実施形態においては、第１の蓄電素子２の正極端子と第２の蓄電素子３の負極端子は、プリント基板４の貫通孔から引き出され、蓄電モジュール１の外部端子５として用いられる。外部端子５の内側に配置された第１の蓄電素子２の負極端子、第２の蓄電素子３の正極端子、および第３の蓄電素子８の正極端子と負極端子は、隣接する他の蓄電素子の正極端子または負極端子と電気的に接続される端子６であり、プリント基板４に設けられた金属パターンにより、第１から第３の蓄電素子２、３、８は直列に接続される。
【００１８】
他の実施形態においても端子６のはんだ付け部は図２、３に示されるように、プリント基板４の他方の面から突出した端子６の先端部がプリント基板４の他方の面に沿って略平行に折り曲げられ、折り曲げられた部分でプリント基板４にはんだ付けされている。端子６は同じ方向に折り曲げられており、端子６の先端部はプリント基板４に盛られたはんだ７から突出しており目視可能であるので、はんだ付けの良否を容易に見つけることができる。
【００１９】
第３の蓄電素子８に、予め折り曲げ加工された端子６を有する蓄電素子を準備し、プリント基板４の貫通孔に挿通する場合、端子６の折り曲げ方向を正極端子と負極端子に対して決めておけば、プリント基板４の貫通孔に折り曲げ加工された端子６を挿通した後でも、第３の蓄電素子８の端子６の極性を判別できる。例えば図４において、第３の蓄電素子８の端子６をプリント基板４に取り付ける際、誤って極性を逆に挿通した場合、プリント基板に挿通した端子６の折り曲げ方向は、１８０度逆の向きになるので容易に見つけることが可能である。
【００２０】
直列に接続する蓄電素子の数が多くなれば、端子６のはんだ付け箇所の数は増えるが、本発明の蓄電モジュールは目視によりはんだ付けの良否を判定できるので、はんだ付けの作業性を向上させることができ、はんだ付け部の信頼性を高めることができる。
【００２１】
以上、本発明の好ましい実施形態について詳述したが、本発明は上述した実施形態に限定されるものではなく、特許請求の範囲に記載された本発明の要旨の範囲内において、種々の変形、変更が可能である。
【符号の説明】
【００２２】
１        蓄電モジュール
２        第１の蓄電素子
３        第２の蓄電素子
４        プリント基板
５        外部端子
６        端子
７        はんだ
８        第３の蓄電素子
【図１】
2019062203.tif 000003
【図２】
2019062203.tif 000004
【図３】
2019062203.tif 000005
【図４】
2019062203.tif 000006
【図５】
2019062203.tif 000007
【図６】
2019062203.tif 000008